(57)【要約】      （修正有）【課題】複数個を積み重ねたとき互いをずれにくくして落下しにくくし、安定化を図る設置物用ウエイトを提供する。【解決手段】地面に設置される設置物の梁部材を上から押さえて設置物の移動を抑止するもので、内部に水を収容する収容空間ｅを有したブロック状の樹脂製本体１０を備え、本体の下側の左右方向両端側に底面を有する一対の脚部１５を備えるとともに、一対の脚部間に前後方向に貫通し設置物の梁部材が臨むことができる凹所１６を形成し、本体に、別の設置物ウエイトの本体を積み重ねたとき上下に位置する本体同士の底面に平行な方向の互いの移動を規制する規制手段３０を設け、規制手段を、本体の上面の外周縁部を傾斜形成して形成され上面を含む上面部からなる係合凸部３２と、脚部の底面に形成され係合凸部が係合しうる形状の係合凹部３３とで構成した。【選択図】図７
0003228766.tif 000002
【実用新案登録請求の範囲】
【請求項１】
地面に設置される設置物の梁部材を上から押さえて前記設置物の地面に対する移動を抑止する設置物用ウエイトであって、
中空形成されて内部に水を収容する収容空間を有したブロック状の樹脂製本体を備え、前記本体の下側の左右方向両端側に下方に向けて突出し地面に設置される底面を有する一対の脚部を備えるとともに前記一対の脚部間に前後方向に貫通し前記設置物の梁部材が臨むことができる凹所を形成した設置物用ウエイトにおいて、
前記本体に、別の設置物ウエイトの本体を積み重ねたとき上下に位置する本体同士の前記底面に平行な方向の互いの移動を規制する規制手段を設けたことを特徴とする設置物用ウエイト。
【請求項２】
前記本体の上面の外周縁部を傾斜形成して前記上面を含む上面部を係合凸部として構成し、前記脚部の底面に前記係合凸部が係合しうる形状の係合凹部を形成し、前記規制手段を、前記係合凸部及び係合凹部で構成したことを特徴とする請求項１記載の設置物用ウエイト。
【請求項３】
前記凹所の底面からの深さをＤとし、前記脚部間の間隔をＬとしたとき、１５ｍｍ≦Ｄ≦３０ｍｍ、２３０ｍｍ≦Ｌ≦２９０ｍｍに設定したことを特徴とする請求項１または２記載の設置物用ウエイト。
【請求項４】
前記本体の上面に前記収容空間に水を出し入れするための開口を形成し、前記開口を塞ぐ着脱可能な蓋を備え、
前記脚部の底面に前記蓋のある位置に対応して設けられ前記蓋が臨む大きさの蓋凹部を形成したことを特徴とする請求項１乃至３何れかに記載の設置物用ウエイト。
【請求項５】
前記開口を前記上面に突設された円筒部の通孔で構成し、前記円筒部の外周に雄ネジを形成し、前記蓋を前記円筒部の雄ネジに螺合する雌ネジを備えたキャップ状に形成したことを特徴とする請求項４記載の設置物用ウエイト。
【請求項６】
前記本体にその上面から前記凹所に向けて手を挿入可能な大きさの貫通孔を形成し、前記貫通孔内であって前記貫通孔を形成し互いに対向する内壁面間に把持可能な棒状の把手を架設したことを特徴とする請求項１乃至５何れかに記載の設置物用ウエイト。
【請求項７】
前記本体の側壁を、上下方向に延びる山及び谷が交互に連続形成された波形形状に形成したことを特徴とする請求項１乃至６何れかに記載の設置物用ウエイト。
【請求項８】
高さを変えることにより前記収容空間の容量を異ならせた本体が複数種あることを特徴とする請求項１乃至７何れかに記載の設置物用ウエイト。
【考案の詳細な説明】
【技術分野】
【０００１】
本考案は、例えば、地面に設置される看板や標識、あるいは、建設工事や道路工事等の工事現場に設置されるバリケード等の設置物の移動を抑止する設置物用ウエイトに係り、特に、中空形成されて内部に水を収容する樹脂製の本体を備えた設置物用ウエイトに関する。
【背景技術】
【０００２】
従来、この種の設置物用ウエイトとしては、例えば、実開平２−１３６１１６号公報（特許文献１）に掲載されたものが知られている。
この設置物用ウエイトは、地面に設置される設置物の梁部材を上から押さえてこの設置物の地面に対する移動を抑止するもので、中空形成されて内部に水を収容する収容空間を有したブロック状の樹脂製本体を備え、この本体の下側の左右方向両端側に下方に向けて突出し地面に設置される底面を有する一対の脚部を備えるとともに、この一対の脚部間に前後方向に貫通し設置物の梁部材が臨むことができる凹所を形成して構成されている。
【０００３】
また、従来の設置物用ウエイトとしては、例えば、特許第４３０９８５６号公報（特許文献２）に掲載されたものが知られている。これは、前記と異なって、一対の脚部はなく、本体の左右方向両端部を突出させて、この突出部で梁部材を押えるようにしている。
【先行技術文献】
【特許文献】
【０００４】
【特許文献１】実開平２−１３６１１６号公報
【特許文献２】特許第４３０９８５６号公報
【考案の概要】
【考案が解決しようとする課題】
【０００５】
ところで、この従来の設置物用ウエイトにあっては、例えば、その重量が不足しているときや、倉庫に収納して保管しておくときなどに、数個を積み重ねることができるが、本体の上面及び底面が平坦になっているので、滑って上位のウエイトが落下してしまうことがあり、積み重ねたときの安定が悪いという問題があった。
【０００６】
本考案はこのような問題点にかんがみてなされたもので、複数個を積み重ねたとき互いをずれにくくして落下しにくくし、安定化を図った設置物用ウエイトを提供することを課題とする。
【課題を解決するための手段】
【０００７】
このような目的を達成するための本考案の設置物用ウエイトは、請求項１の考案にあっては、地面に設置される設置物の梁部材を上から押さえて前記設置物の地面に対する移動を抑止する設置物用ウエイトであって、
中空形成されて内部に水を収容する収容空間を有したブロック状の樹脂製本体を備え、前記本体の下側の左右方向両端側に下方に向けて突出し地面に設置される底面を有する一対の脚部を備えるとともに前記一対の脚部間に前後方向に貫通し前記設置物の梁部材が臨むことができる凹所を形成した設置物用ウエイトにおいて、
前記本体に、別の設置物ウエイトの本体を積み重ねたとき上下に位置する本体同士の前記底面に平行な方向の互いの移動を規制する規制手段を設けた構成としている。
【０００８】
この設置物用ウエイトを使用するときは、本体の収容空間に水を入れ、本体をその凹所に設置物の梁部材が臨むようにして地面に設置する。これにより、設置物の梁部材が本体によって押えられ、本体の重量によって設置物の地面に対する移動が抑止され、設置物を安定させることができる。この際、１つのウエイトでは重量が不足する場合には、更に別のウエイトを適数積み重ねる。この場合、上下のウエイトにおいて、本体には底面に平行な方向の互いの移動を規制する規制手段を設けられているので、上位のウエイトが滑って落下する事態を防止することができ、安定化を図ることができ、安全を確保することができる。また、この設置物用ウエイトを使用しないときに倉庫等に収納しておくときにも、複数のウエイトを積み重ねることを行うが、この場合にも、規制手段によって上位のウエイトが滑って落下する事態を防止することができ、安定化を図ることができ、安全を確保することができる。
【０００９】
また、請求項２の考案は、前記本体の上面の外周縁部を傾斜形成して前記上面を含む上面部を係合凸部として構成し、前記脚部の底面に前記係合凸部が係合しうる形状の係合凹部を形成し、前記規制手段を、前記係合凸部及び係合凹部で構成している。
これにより、ウエイトを積み重ねたとき、係合凸部及び係合凹部の係合により、上下のウエイトの互いの移動を規制することができる。この場合、係合凸部は、本体の上面を含む上面部で構成されているので、上面部の全体が動きにくくなり、そのため、確実に安定化を図ることができる。
【００１０】
更に、請求項３の考案は、  前記凹所の底面からの深さをＤとし、前記脚部間の間隔をＬとしたとき、１５ｍｍ≦Ｄ≦３０ｍｍ、２３０ｍｍ≦Ｌ≦２９０ｍｍに設定した構成としている。
これにより、脚部間の間隔が比較的広く設定されるので、例えば、梁部材が平行に２本並設されているような場合に、１つの本体で同時に２本の梁部材を押えることができ、設置物の押さえをより一層確実にすることができる。
【００１１】
更にまた、請求項４の考案は、前記本体の上面に前記収容空間に水を出し入れするための開口を形成し、前記開口を塞ぐ着脱可能な蓋を備え、
前記脚部の底面に前記蓋のある位置に対応して設けられ前記蓋が臨む大きさの蓋凹部を形成した構成としている。
これにより、ウエイトを積み重ねたとき、蓋が蓋凹部に臨むので、蓋が突出していても引っ掛かることがなく、上下のウエイトの積み重ねを安定化させることができる。
【００１２】
また、請求項５の考案は、前記開口を前記上面に突設された円筒部の通孔で構成し、前記円筒部の外周に雄ネジを形成し、前記蓋を前記円筒部の雄ネジに螺合する雌ネジを備えたキャップ状に形成した構成としている。
これにより、蓋は本体の上面から突出しており、回転させることで着脱を行うことができるので、操作性を向上させることができる。また、ウエイトを積み重ねても、蓋が蓋凹部に入り込んで蓋凹部内に臨むので、蓋が引っ掛かることがなく、支障はない。
【００１３】
更に、請求項６の考案は、前記本体にその上面から前記凹所に向けて手を挿入可能な大きさの貫通孔を形成し、前記貫通孔内であって前記貫通孔を形成し互いに対向する内壁面間に把持可能な棒状の把手を架設した構成としている。
これにより、把手を持って持ち運びすることができる。また、把手は、貫通孔内にあるので、本体の上面から突出することがなく、邪魔になる事態を防止することができる。
【００１４】
更にまた、請求項７の考案は、前記本体の側壁を、上下方向に延びる山及び谷が交互に連続形成された波形形状に形成した構成としている。
これにより、樹脂製の本体の強度を増すことができる。
【００１５】
また、請求項８の考案は、高さを変えることにより前記収容空間の容量を異ならせた本体が複数種ある構成としている。
これにより、重さの異なるウエイトを用意することができ、設置物の大きさや重量等の設置物の条件に応じて最適の重さのウエイトを選択することができる。また、ウエイトを積み重ねる場合にも、ウエイトの選択によって、重量調整をすることができ、これによっても、設置物を最適の重さにして押さえることができる。
【考案の効果】
【００１６】
本考案の設置物用ウエイトは、請求項１の考案にあっては、設置物を押える際に、１つのウエイトでは重量が不足する場合には、更に別のウエイトを適数積み重ねるが、本体には、上下に位置する本体同士の移動を規制する規制手段を設けたので、上位のウエイトが滑って落下する事態を防止することができ、安定化を図ることができ、安全を確保することができる。また、この設置物用ウエイトを使用しないときに倉庫等に収納しておくときにも、複数のウエイトを積み重ねることを行うが、この場合にも、規制手段によって上位のウエイトが滑って落下する事態を防止することができ、安定化を図ることができ、安全を確保することができる。
【００１７】
また、請求項２の考案にあっては、ウエイトを積み重ねたとき、係合凸部及び係合凹部の係合により、上下のウエイトの互いの移動を規制することができるが、係合凸部は、本体の上面を含む上面部で構成されているので、上面部の全体が動きにくくなり、そのため、確実に安定化を図ることができる。
【００１８】
更に、請求項３の考案にあっては、脚部間の間隔が比較的広く設定されるので、例えば、梁部材が平行に２本並設されているような場合に、１つの本体で同時に２本の梁部材を押えることができ、設置物の押さえをより一層確実にすることができる。
【００１９】
更にまた、請求項４の考案にあっては、ウエイトを積み重ねたとき、蓋が蓋凹部に臨むので、蓋が突出していても引っ掛かることがなく、上下のウエイトの積み重ねを安定化させることができる。
【００２０】
また、請求項５の考案にあっては、蓋は本体の上面から突出しており、回転させることで着脱を行うことができるので、操作性を向上させることができる。また、ウエイトを積み重ねても、蓋が蓋凹部に入り込んで蓋凹部内に臨むので、蓋が引っ掛かることがないことから、支障はない。
【００２１】
更に、請求項６の考案にあっては、手を挿入可能な大きさの貫通孔内に把手を架設したので、把手を持って持ち運びすることができる。また、把手は、貫通孔内にあるので、本体の上面から突出することがなく、邪魔になる事態を防止することができる。
【００２２】
更にまた、請求項７の考案にあっては、本体の側壁を波形形状に形成したので、樹脂製の本体の強度を増すことができる。
【００２３】
また、請求項８の考案にあっては、重さの異なるウエイトを用意することができ、設置物の大きさや重量等の設置物の条件に応じて最適の重さのウエイトを選択することができる。また、ウエイトを積み重ねる場合にも、ウエイトの選択によって、重量調整をすることができ、これによっても、設置物を最適の重さにして押さえることができる。
【図面の簡単な説明】
【００２４】
【図１】本考案に係る設置物用ウエイトの一実施形態を示す上から見た斜視図である。
【図２】本考案に係る設置物用ウエイトの一実施形態を示す下から見た斜視図である。
【図３】本考案に係る設置物用ウエイトの一実施形態を示す正面断面図である。
【図４】本考案に係る設置物用ウエイトの一実施形態の別のタイプを示す上から見た斜視図である。
【図５】本考案に係る設置物用ウエイトの一実施形態の別のタイプを示す正面断面図である。
【図６】本考案に係る設置物用ウエイトの一実施形態の使用例を示す斜視図である。
【図７】本考案に係る設置物用ウエイトの一実施形態において、積み重ねたときの状態を示す断面図である。
【図８】本考案に係る設置物用ウエイトの一実施形態の別のタイプにおいて、積み重ねたときの状態を示す断面図である。
【考案を実施するための形態】
【００２５】
以下、添付図面に基づいて、本考案の実施の形態に係る設置物用ウエイトについて詳細に説明する。
図１乃至図７に示すように、本考案の実施の形態に係る設置物用ウエイトＷは、地面に設置され設置物Ｓの梁部材Ｓａ（図６）を上から押さえて設置物Ｓの地面に対する移動を抑止するものである。設置物Ｓとしては、例えば、地面に設置される看板や標識、あるいは、建設工事や道路工事等の工事現場に設置されるバリケード等があり、一般に、パイプ等で形成される脚体や支柱等によって支持され、地面近傍にあってこの地面と平行な梁部材Ｓａを有している。本設置物用ウエイトＷは、主にこの梁部材Ｓａを上から押さえる。
【００２６】
本考案の実施の形態に係る設置物用ウエイトＷは、重量タイプの設置物用ウエイトＷ（Ａ）と、軽量タイプの設置物用ウエイトＷ（Ｂ）の二種類がある。
【００２７】
先に、重量タイプの設置物用ウエイトＷ（Ａ）について説明する。図１乃至図３，図６及び図７に示すように、このウエイトＷ（Ａ）は、中空形成されて内部に水を収容する収容空間ｅを有した略直方体状をしたブロック状の樹脂製本体１０を備えている。本体１０の側壁１１は、上下方向に延びる山１２及び谷１３が交互に連続形成された波形形状に形成されている。本体１０の側壁１１を波形形状に形成したので、樹脂製の本体１０の強度を増すことができる。本体１０は、例えば、上半分と下半分とを夫々型成形して接合して形成することができる。
【００２８】
また、本体１０の下側の左右方向両端側には、下方に向けて突出し地面に設置される底面１４を有する一対の脚部１５が備えられており、この一対の脚部１５間に前後方向に貫通し設置物Ｓの梁部材Ｓａが臨むことができる凹所１６が形成されている。
【００２９】
本体１０において、左右方向の幅をａ、前後方向の幅をｂ、高さをＨとしたとき、例えば、本実施の形態にあっては、ａ＝５００ｍｍ、ｂ＝１８０ｍｍ、Ｈ＝１６０ｍｍに設定されている。
【００３０】
また、本実施の形態にあっては、本体１０の凹所１６の底面１４からの深さをＤとし、脚部１５間の間隔をＬとしたとき、Ｄ＝２５ｍｍ、Ｌ＝２６０ｍｍに設定されている。
【００３１】
更に、本体１０の上面１７の左右方向一端部側中央には、収容空間ｅに水を出し入れするための開口２０が形成されており、本体１０には、この開口２０を塞ぐ着脱可能な蓋２１が備えられている。詳しくは、開口２０は、上面１７に突設された円筒部２２の通孔で構成されており、円筒部２２の外周には雄ネジ２３が形成されている。そして、蓋２１は、円筒部２２の雄ネジ２３に螺合する雌ネジ２４を備えた円盤形のキャップ状に形成されている。この場合、蓋２１は本体１０の上面１７から突出しており、回転させることで着脱を行うことができるので、操作性を向上させることができる。
【００３２】
一方、脚部１５の底面１４に蓋２１のある位置に対応した位置には、蓋２１が入り込んで臨む大きさの円柱状の蓋凹部２５が形成されている。
【００３３】
更にまた、本体１０の中央部には、その上面１７から凹所１６に向けて手を挿入可能な大きさの直方体状の貫通孔２６が形成されている。この貫通孔２６内であって貫通孔２６を形成し互いに左右方向で対向する内壁面間には、把持可能な棒状の把手２７が架設されている。
【００３４】
そしてまた、本体１０には、別の設置物ウエイトＷの本体１０を積み重ねたとき、上下に位置する本体１０同士の底面１４に平行な方向の互いの移動を規制する規制手段３０が設けられている。詳しくは、本体１０の上面１７の外周縁部は傾斜形成されており、上面１７を含む上面部３１は係合凸部３２として構成されている。一方、脚部１５の底面１４には、係合凸部３２が係合しうる形状の係合凹部３３が形成されている。実施の形態では、図２及び図３に示すように、係合凹部３３は、側壁１１の下端部で構成され係合凸部３２の左右方向端部側が接合するコ字状の突出部３４を有し、この突出部３４の内側が凹設されている。これにより、規制手段３０は、この係合凸部３２及び係合凹部３３で構成される。前記の蓋凹部２５は、凹設された底面１４に設けられている。
【００３５】
次に、軽量タイプの設置物用ウエイトＷ（Ｂ）について説明する。このウエイトＷ（Ｂ）は、図４，図５及び図８に示すように、前記の重量タイプの設置物用ウエイトＷ（Ａ）と略同様に構成されている。重量タイプの設置物用ウエイトＷ（Ａ）と異なる点は、その高さＨと、開口２０及び蓋２１の構成である。
本実施の形態にあっては、本体１０において、高さＨは、８７ｍｍに設定されている。即ち、本実施の形態では、高さを変えることにより収容空間ｅの容量を異ならせた本体１０が複数種（実施の形態では二種）設けられることになる。
【００３６】
また、この軽量タイプの設置物用ウエイトＷ（Ｂ）において、開口２０は上面１７を構成する壁部に形成された円形の孔で構成されている。蓋２１は、弾性変形によりこの開口２０に嵌合する中央が凹設された樹脂製の円盤状に形成されており、内側に蓋２１を開口２０から外す際に用いられる舌片状のつまみが設けられている。
【００３７】
従って、この実施の形態に係る設置物用ウエイトＷを使用するときは、設置物Ｓの大きさや重量等の設置物Ｓの条件に応じて最適の重さのウエイトＷを選択し、例えば、重量タイプの設置物用ウエイトＷ（Ａ）を選択した場合には、図６に示すように、本体１０をその凹所１６に設置物Ｓの梁部材Ｓａが臨むようにして地面に設置する。一方、軽量タイプの設置物用ウエイトＷ（Ｂ）を選択した場合にも、同様に行う。この設置物Ｓの設置に当たっては、ウエイトＷを搬送したり動かすことがあるが、この場合、手を挿入可能な大きさの貫通孔２６内に把手２７を架設したので、把手２７を持って持ち運びすることができる。
【００３８】
このウエイトＷの設置の際には、本体１０の凹所１６において、Ｄ＝２５ｍｍ、Ｌ＝  
２６０ｍｍに設定されており、脚部１５間の間隔が比較的広く設定されるので、例えば、梁部材Ｓａが平行に２本並設されているような場合に、１つの本体１０で同時に２本の梁部材Ｓａを押えることができ、設置物Ｓの押さえをより一層確実にすることができる。
【００３９】
これにより、設置物Ｓの梁部材Ｓａが本体１０によって押えられ、本体１０の重量によって設置物Ｓの地面に対する移動が抑止され、設置物Ｓを安定させることができる。この場合、設置物Ｓの大きさや重量等の設置物Ｓの条件に応じて最適の重さのウエイトＷ（Ａ）（Ｂ）を選択することができるので、極めて便利になる。
【００４０】
この際、１つのウエイトＷ（Ａ）（Ｂ）では重量が不足する場合には、更に別のウエイトＷ（Ａ）（Ｂ）を適数積み重ねる。図７には、重量タイプのウエイトＷ（Ａ）に更に同じ重量タイプのウエイトＷ（Ａ）を重ねた場合を示す。図８には、軽量タイプのウエイトＷ（Ｂ）に更に同じ軽量タイプのウエイトＷ（Ｂ）を重ねた場合を示す。また、図示しないが、重量タイプのウエイトＷ（Ａ）に軽量タイプのウエイトＷ（Ｂ）を重ね、あるいはその逆であっても差支えない。更に、積み重ねる数も２つに限定されない。これにより、ウエイトＷを積み重ねる場合にも、ウエイトＷ（Ａ）（Ｂ）の選択によって、重量調整をすることができ、これによっても、設置物Ｓを最適の重さにして押さえることができる。
【００４１】
この場合、把手２７は、貫通孔２６内にあるので、本体１０の上面１７から突出することがなく、邪魔になる事態を防止することができる。また、蓋２１が蓋凹部２５に臨むので、蓋２１が突出していても引っ掛かることがなく、上下のウエイトＷの積み重ねを安定化させることができる。特に、重量タイプのウエイトＷ（Ａ）においては、蓋２１の突出量が大きいが、この蓋２１は、蓋凹部２５に入り込んでこれに臨むので、支障がない。
【００４２】
また、図７及び図８に示すように、ウエイトＷを重ねた場合、上下のウエイトＷにおいて、本体１０には底面１４に平行な方向の互いの移動を規制する規制手段３０を設けられているので、上位のウエイトＷが滑って落下する事態を防止することができ、安定化を図ることができ、安全を確保することができる。特に、規制手段３０において、係合凸部３２及び係合凹部３３の係合により、上下のウエイトＷの互いの移動を規制することができるが、係合凸部３２は、本体１０の上面１７を含む上面部３１で構成されているので、上面部３１の全体が動きにくくなり、そのため、確実に安定化を図ることができる。
【００４３】
そしてまた、この設置物用ウエイトＷを使用しないときには、倉庫等に収納しておく。この際にも、複数のウエイトＷを積み重ねることを行うが、この場合にも、規制手段３０によって上位のウエイトＷが滑って落下する事態を防止することができ、安定化を図ることができ、安全を確保することができる。
【００４４】
尚、前記実施の形態にあっては、ウエイトＷ（Ａ）（Ｂ）を二種類用意したが、必ずしもこれに限定されるものではなく、三種類以上用意するようにしてよい。また、前記実施の形態にあっては、設置物Ｓの梁部材Ｓａを上から押さえるように使用したが、梁部材Ｓａ以外のものを押えるように使用したり、漬物等の重石として等他の用途に使用しても良いことは勿論である。本考案は、上述した実施の形態に限定されず、当業者は、本考案の新規な教示及び効果から実質的に離れることなく、これら例示である実施の形態に多くの変更を加えることが容易であり、これらの多くの変更は本考案の範囲に含まれる。
【符号の説明】
【００４５】
Ｗ，Ｗ（Ａ），Ｗ（Ｂ）  設置物用ウエイト
Ｓ  設置物
Ｓａ  梁部材
１０  本体
ｅ  収容空間
１１  側壁
１２  山
１３  谷
１４  底面
１５  脚部
１６  凹所
１７  上面
２０  開口
２１  蓋
２２  円筒部
２３  雄ネジ
２４  雌ネジ
２５  蓋凹部
２６  貫通孔
２７  把手
３０  規制手段
３１  上面部
３２  係合凸部
３３  係合凹部
３４  突出部
【図１】
0003228766.tif 000003
【図２】
0003228766.tif 000004
【図３】
0003228766.tif 000005
【図４】
0003228766.tif 000006
【図５】
0003228766.tif 000007
【図６】
0003228766.tif 000008
【図７】
0003228766.tif 000009
【図８】
0003228766.tif 000010
【手続補正書】
【提出日】令和2年8月5日(2020.8.5)
【手続補正１】
【補正対象書類名】明細書
【補正対象項目名】全文
【補正方法】変更
【補正の内容】
【考案の詳細な説明】
【技術分野】
【０００１】
本考案は、例えば、地面に設置される看板や標識、あるいは、建設工事や道路工事等の工事現場に設置されるバリケード等の設置物の移動を抑止する設置物用ウエイトに係り、特に、中空形成されて内部に水を収容する樹脂製の本体を備えた設置物用ウエイトに関する。
【背景技術】
【０００２】
従来、この種の設置物用ウエイトとしては、例えば、実開平２−１３６１１６号公報（特許文献１）に掲載されたものが知られている。
この設置物用ウエイトは、地面に設置される設置物の梁部材を上から押さえてこの設置物の地面に対する移動を抑止するもので、中空形成されて内部に水を収容する収容空間を有したブロック状の樹脂製本体を備え、この本体の下側の左右方向両端側に下方に向けて突出し地面に設置される底面を有する一対の脚部を備えるとともに、この一対の脚部間に前後方向に貫通し設置物の梁部材が臨むことができる凹所を形成して構成されている。
【０００３】
また、従来の設置物用ウエイトとしては、例えば、特許第４３０９８５６号公報（特許文献２）に掲載されたものが知られている。これは、前記と異なって、一対の脚部はなく、本体の左右方向両端部を突出させて、この突出部で梁部材を押えるようにしている。
【先行技術文献】
【特許文献】
【０００４】
【特許文献１】実開平２−１３６１１６号公報
【特許文献２】特許第４３０９８５６号公報
【考案の概要】
【考案が解決しようとする課題】
【０００５】
ところで、この従来の設置物用ウエイトにあっては、例えば、その重量が不足しているときや、倉庫に収納して保管しておくときなどに、数個を積み重ねることができるが、本体の上面及び底面が平坦になっているので、滑って上位のウエイトが落下してしまうことがあり、積み重ねたときの安定が悪いという問題があった。
【０００６】
本考案はこのような問題点にかんがみてなされたもので、複数個を積み重ねたとき互いをずれにくくして落下しにくくし、安定化を図った設置物用ウエイトを提供することを課題とする。
【課題を解決するための手段】
【０００７】
このような目的を達成するために請求項１の考案にあっては、地面に設置される設置物の梁部材を上から押さえて前記設置物の地面に対する移動を抑止する設置物用ウエイトであって、中空形成されて内部に水を収容する収容空間を有したブロック状の樹脂製本体を備え、前記本体の下側の左右方向両端側に下方に向けて突出し地面に設置される底面を有する一対の脚部を備えるとともに前記一対の脚部間に前後方向に貫通し前記設置物の梁部材が臨むことができる凹所を形成した設置物用ウエイトにおいて、前記本体に、別の設置物ウエイトの本体を積み重ねたとき上下に位置する本体同士の前記底面に平行な方向の互いの移動を規制する規制手段を設け、前記本体の上面の外周縁部を傾斜形成して前記上面を含む上面部を係合凸部として構成し、前記脚部の底面に前記係合凸部が係合しうる形状の係合凹部を形成し、前記規制手段を、前記係合凸部及び係合凹部で構成したことを特徴とする設置物用ウエイトである。
【０００８】
この設置物用ウエイトを使用するときは、本体の収容空間に水を入れ、本体をその凹所に設置物の梁部材が臨むようにして地面に設置する。これにより、設置物の梁部材が本体によって押えられ、本体の重量によって設置物の地面に対する移動が抑止され、設置物を安定させることができる。この際、１つのウエイトでは重量が不足する場合には、更に別のウエイトを適数積み重ねる。この場合、上下のウエイトにおいて、本体には底面に平行な方向の互いの移動を規制する規制手段を設けられているので、上位のウエイトが滑って落下する事態を防止することができ、安定化を図ることができ、安全を確保することができる。また、この設置物用ウエイトを使用しないときに倉庫等に収納しておくときにも、複数のウエイトを積み重ねることを行うが、この場合にも、規制手段によって上位のウエイトが滑って落下する事態を防止することができ、安定化を図ることができ、安全を確保することができる。
【０００９】
これにより、ウエイトを積み重ねたとき、係合凸部及び係合凹部の係合により、上下のウエイトの互いの移動を規制することができる。この場合、係合凸部は、本体の上面を含む上面部で構成されているので、上面部の全体が動きにくくなり、そのため、確実に安定化を図ることができる。
【００１０】
更に、請求項２の考案は、  前記凹所の底面からの深さをＤとし、前記脚部間の間隔をＬとしたとき、１５ｍｍ≦Ｄ≦３０ｍｍ、２３０ｍｍ≦Ｌ≦２９０ｍｍに設定した構成としている。
これにより、脚部間の間隔が比較的広く設定されるので、例えば、梁部材が平行に２本並設されているような場合に、１つの本体で同時に２本の梁部材を押えることができ、設置物の押さえをより一層確実にすることができる。
【００１１】
更にまた、請求項３の考案は、前記本体の上面に前記収容空間に水を出し入れするための開口を形成し、前記開口を塞ぐ着脱可能な蓋を備え、前記脚部の底面に前記蓋のある位置に対応して設けられ前記蓋が臨む大きさの蓋凹部を形成した構成としている。
これにより、ウエイトを積み重ねたとき、蓋が蓋凹部に臨むので、蓋が突出していても引っ掛かることがなく、上下のウエイトの積み重ねを安定化させることができる。
【００１２】
また、請求項４の考案は、前記開口を前記上面に突設された円筒部の通孔で構成し、前記円筒部の外周に雄ネジを形成し、前記蓋を前記円筒部の雄ネジに螺合する雌ネジを備えたキャップ状に形成した構成としている。
これにより、蓋は本体の上面から突出しており、回転させることで着脱を行うことができるので、操作性を向上させることができる。また、ウエイトを積み重ねても、蓋が蓋凹部に入り込んで蓋凹部内に臨むので、蓋が引っ掛かることがなく、支障はない。
【００１３】
更に、請求項５の考案は、前記本体にその上面から前記凹所に向けて手を挿入可能な大きさの貫通孔を形成し、前記貫通孔内であって前記貫通孔を形成し互いに対向する内壁面間に把持可能な棒状の把手を架設した構成としている。
これにより、把手を持って持ち運びすることができる。また、把手は、貫通孔内にあるので、本体の上面から突出することがなく、邪魔になる事態を防止することができる。
【００１４】
更にまた、請求項６の考案は、前記本体の側壁を、上下方向に延びる山及び谷が交互に連続形成された波形形状に形成した構成としている。
これにより、樹脂製の本体の強度を増すことができる。
【００１５】
また、請求項７の考案は、高さを変えることにより前記収容空間の容量を異ならせた本体が複数種ある構成としている。
これにより、重さの異なるウエイトを用意することができ、設置物の大きさや重量等の設置物の条件に応じて最適の重さのウエイトを選択することができる。また、ウエイトを積み重ねる場合にも、ウエイトの選択によって、重量調整をすることができ、これによっても、設置物を最適の重さにして押さえることができる。
【考案の効果】
【００１６】
本考案の設置物用ウエイトは、請求項１の考案にあっては、設置物を押える際に、１つのウエイトでは重量が不足する場合には、更に別のウエイトを適数積み重ねるが、本体には、上下に位置する本体同士の移動を規制する規制手段を設けたので、上位のウエイトが滑って落下する事態を防止することができ、安定化を図ることができ、安全を確保することができる。また、この設置物用ウエイトを使用しないときに倉庫等に収納しておくときにも、複数のウエイトを積み重ねることを行うが、この場合にも、規制手段によって上位のウエイトが滑って落下する事態を防止することができ、安定化を図ることができ、安全を確保することができる。
【００１７】
また、ウエイトを積み重ねたとき、係合凸部及び係合凹部の係合により、上下のウエイトの互いの移動を規制することができるが、係合凸部は、本体の上面を含む上面部で構成されているので、上面部の全体が動きにくくなり、そのため、確実に安定化を図ることができる。
【００１８】
更に、請求項２の考案にあっては、脚部間の間隔が比較的広く設定されるので、例えば、梁部材が平行に２本並設されているような場合に、１つの本体で同時に２本の梁部材を押えることができ、設置物の押さえをより一層確実にすることができる。
【００１９】
更にまた、請求項３の考案にあっては、ウエイトを積み重ねたとき、蓋が蓋凹部に臨むので、蓋が突出していても引っ掛かることがなく、上下のウエイトの積み重ねを安定化させることができる。
【００２０】
また、請求項４の考案にあっては、蓋は本体の上面から突出しており、回転させることで着脱を行うことができるので、操作性を向上させることができる。また、ウエイトを積み重ねても、蓋が蓋凹部に入り込んで蓋凹部内に臨むので、蓋が引っ掛かることがないことから、支障はない。
【００２１】
更に、請求項５の考案にあっては、手を挿入可能な大きさの貫通孔内に把手を架設したので、把手を持って持ち運びすることができる。また、把手は、貫通孔内にあるので、本体の上面から突出することがなく、邪魔になる事態を防止することができる。
【００２２】
更にまた、請求項６の考案にあっては、本体の側壁を波形形状に形成したので、樹脂製の本体の強度を増すことができる。
【００２３】
また、請求項７の考案にあっては、重さの異なるウエイトを用意することができ、設置物の大きさや重量等の設置物の条件に応じて最適の重さのウエイトを選択することができる。また、ウエイトを積み重ねる場合にも、ウエイトの選択によって、重量調整をすることができ、これによっても、設置物を最適の重さにして押さえることができる。
【図面の簡単な説明】
【００２４】
【図１】本考案に係る設置物用ウエイトの一実施形態を示す上から見た斜視図である。
【図２】本考案に係る設置物用ウエイトの一実施形態を示す下から見た斜視図である。
【図３】本考案に係る設置物用ウエイトの一実施形態を示す正面断面図である。
【図４】本考案に係る設置物用ウエイトの一実施形態の別のタイプを示す上から見た斜視図である。
【図５】本考案に係る設置物用ウエイトの一実施形態の別のタイプを示す正面断面図である。
【図６】本考案に係る設置物用ウエイトの一実施形態の使用例を示す斜視図である。
【図７】本考案に係る設置物用ウエイトの一実施形態において、積み重ねたときの状態を示す断面図である。
【図８】本考案に係る設置物用ウエイトの一実施形態の別のタイプにおいて、積み重ねたときの状態を示す断面図である。
【考案を実施するための形態】
【００２５】
以下、添付図面に基づいて、本考案の実施の形態に係る設置物用ウエイトについて詳細に説明する。
図１乃至図７に示すように、本考案の実施の形態に係る設置物用ウエイトＷは、地面に設置され設置物Ｓの梁部材Ｓａ（図６）を上から押さえて設置物Ｓの地面に対する移動を抑止するものである。設置物Ｓとしては、例えば、地面に設置される看板や標識、あるいは、建設工事や道路工事等の工事現場に設置されるバリケード等があり、一般に、パイプ等で形成される脚体や支柱等によって支持され、地面近傍にあってこの地面と平行な梁部材Ｓａを有している。本設置物用ウエイトＷは、主にこの梁部材Ｓａを上から押さえる。
【００２６】
本考案の実施の形態に係る設置物用ウエイトＷは、重量タイプの設置物用ウエイトＷ（Ａ）と、軽量タイプの設置物用ウエイトＷ（Ｂ）の二種類がある。
【００２７】
先に、重量タイプの設置物用ウエイトＷ（Ａ）について説明する。図１乃至図３，図６及び図７に示すように、このウエイトＷ（Ａ）は、中空形成されて内部に水を収容する収容空間ｅを有した略直方体状をしたブロック状の樹脂製本体１０を備えている。本体１０の側壁１１は、上下方向に延びる山１２及び谷１３が交互に連続形成された波形形状に形成されている。本体１０の側壁１１を波形形状に形成したので、樹脂製の本体１０の強度を増すことができる。本体１０は、例えば、上半分と下半分とを夫々型成形して接合して形成することができる。
【００２８】
また、本体１０の下側の左右方向両端側には、下方に向けて突出し地面に設置される底面１４を有する一対の脚部１５が備えられており、この一対の脚部１５間に前後方向に貫通し設置物Ｓの梁部材Ｓａが臨むことができる凹所１６が形成されている。
【００２９】
本体１０において、左右方向の幅をａ、前後方向の幅をｂ、高さをＨとしたとき、例えば、本実施の形態にあっては、ａ＝５００ｍｍ、ｂ＝１８０ｍｍ、Ｈ＝１６０ｍｍに設定されている。
【００３０】
また、本実施の形態にあっては、本体１０の凹所１６の底面１４からの深さをＤとし、脚部１５間の間隔をＬとしたとき、Ｄ＝２５ｍｍ、Ｌ＝２６０ｍｍに設定されている。
【００３１】
更に、本体１０の上面１７の左右方向一端部側中央には、収容空間ｅに水を出し入れするための開口２０が形成されており、本体１０には、この開口２０を塞ぐ着脱可能な蓋２１が備えられている。詳しくは、開口２０は、上面１７に突設された円筒部２２の通孔で構成されており、円筒部２２の外周には雄ネジ２３が形成されている。そして、蓋２１は、円筒部２２の雄ネジ２３に螺合する雌ネジ２４を備えた円盤形のキャップ状に形成されている。この場合、蓋２１は本体１０の上面１７から突出しており、回転させることで着脱を行うことができるので、操作性を向上させることができる。
【００３２】
一方、脚部１５の底面１４に蓋２１のある位置に対応した位置には、蓋２１が入り込んで臨む大きさの円柱状の蓋凹部２５が形成されている。
【００３３】
更にまた、本体１０の中央部には、その上面１７から凹所１６に向けて手を挿入可能な大きさの直方体状の貫通孔２６が形成されている。この貫通孔２６内であって貫通孔２６を形成し互いに左右方向で対向する内壁面間には、把持可能な棒状の把手２７が架設されている。
【００３４】
そしてまた、本体１０には、別の設置物ウエイトＷの本体１０を積み重ねたとき、上下に位置する本体１０同士の底面１４に平行な方向の互いの移動を規制する規制手段３０が設けられている。詳しくは、本体１０の上面１７の外周縁部は傾斜形成されており、上面１７を含む上面部３１は係合凸部３２として構成されている。一方、脚部１５の底面１４には、係合凸部３２が係合しうる形状の係合凹部３３が形成されている。実施の形態では、図２及び図３に示すように、係合凹部３３は、側壁１１の下端部で構成され係合凸部３２の左右方向端部側が接合するコ字状の突出部３４を有し、この突出部３４の内側が凹設されている。これにより、規制手段３０は、この係合凸部３２及び係合凹部３３で構成される。前記の蓋凹部２５は、凹設された底面１４に設けられている。
【００３５】
次に、軽量タイプの設置物用ウエイトＷ（Ｂ）について説明する。このウエイトＷ（Ｂ）は、図４，図５及び図８に示すように、前記の重量タイプの設置物用ウエイトＷ（Ａ）と略同様に構成されている。重量タイプの設置物用ウエイトＷ（Ａ）と異なる点は、その高さＨと、開口２０及び蓋２１の構成である。
本実施の形態にあっては、本体１０において、高さＨは、８７ｍｍに設定されている。即ち、本実施の形態では、高さを変えることにより収容空間ｅの容量を異ならせた本体１０が複数種（実施の形態では二種）設けられることになる。
【００３６】
また、この軽量タイプの設置物用ウエイトＷ（Ｂ）において、開口２０は上面１７を構成する壁部に形成された円形の孔で構成されている。蓋２１は、弾性変形によりこの開口２０に嵌合する中央が凹設された樹脂製の円盤状に形成されており、内側に蓋２１を開口２０から外す際に用いられる舌片状のつまみが設けられている。
【００３７】
従って、この実施の形態に係る設置物用ウエイトＷを使用するときは、設置物Ｓの大きさや重量等の設置物Ｓの条件に応じて最適の重さのウエイトＷを選択し、例えば、重量タイプの設置物用ウエイトＷ（Ａ）を選択した場合には、図６に示すように、本体１０をその凹所１６に設置物Ｓの梁部材Ｓａが臨むようにして地面に設置する。一方、軽量タイプの設置物用ウエイトＷ（Ｂ）を選択した場合にも、同様に行う。この設置物Ｓの設置に当たっては、ウエイトＷを搬送したり動かすことがあるが、この場合、手を挿入可能な大きさの貫通孔２６内に把手２７を架設したので、把手２７を持って持ち運びすることができる。
【００３８】
このウエイトＷの設置の際には、本体１０の凹所１６において、Ｄ＝２５ｍｍ、Ｌ＝  
２６０ｍｍに設定されており、脚部１５間の間隔が比較的広く設定されるので、例えば、梁部材Ｓａが平行に２本並設されているような場合に、１つの本体１０で同時に２本の梁部材Ｓａを押えることができ、設置物Ｓの押さえをより一層確実にすることができる。
【００３９】
これにより、設置物Ｓの梁部材Ｓａが本体１０によって押えられ、本体１０の重量によって設置物Ｓの地面に対する移動が抑止され、設置物Ｓを安定させることができる。この場合、設置物Ｓの大きさや重量等の設置物Ｓの条件に応じて最適の重さのウエイトＷ（Ａ）（Ｂ）を選択することができるので、極めて便利になる。
【００４０】
この際、１つのウエイトＷ（Ａ）（Ｂ）では重量が不足する場合には、更に別のウエイトＷ（Ａ）（Ｂ）を適数積み重ねる。図７には、重量タイプのウエイトＷ（Ａ）に更に同じ重量タイプのウエイトＷ（Ａ）を重ねた場合を示す。図８には、軽量タイプのウエイトＷ（Ｂ）に更に同じ軽量タイプのウエイトＷ（Ｂ）を重ねた場合を示す。また、図示しないが、重量タイプのウエイトＷ（Ａ）に軽量タイプのウエイトＷ（Ｂ）を重ね、あるいはその逆であっても差支えない。更に、積み重ねる数も２つに限定されない。これにより、ウエイトＷを積み重ねる場合にも、ウエイトＷ（Ａ）（Ｂ）の選択によって、重量調整をすることができ、これによっても、設置物Ｓを最適の重さにして押さえることができる。
【００４１】
この場合、把手２７は、貫通孔２６内にあるので、本体１０の上面１７から突出することがなく、邪魔になる事態を防止することができる。また、蓋２１が蓋凹部２５に臨むので、蓋２１が突出していても引っ掛かることがなく、上下のウエイトＷの積み重ねを安定化させることができる。特に、重量タイプのウエイトＷ（Ａ）においては、蓋２１の突出量が大きいが、この蓋２１は、蓋凹部２５に入り込んでこれに臨むので、支障がない。
【００４２】
また、図７及び図８に示すように、ウエイトＷを重ねた場合、上下のウエイトＷにおいて、本体１０には底面１４に平行な方向の互いの移動を規制する規制手段３０を設けられているので、上位のウエイトＷが滑って落下する事態を防止することができ、安定化を図ることができ、安全を確保することができる。特に、規制手段３０において、係合凸部３２及び係合凹部３３の係合により、上下のウエイトＷの互いの移動を規制することができるが、係合凸部３２は、本体１０の上面１７を含む上面部３１で構成されているので、上面部３１の全体が動きにくくなり、そのため、確実に安定化を図ることができる。
【００４３】
そしてまた、この設置物用ウエイトＷを使用しないときには、倉庫等に収納しておく。この際にも、複数のウエイトＷを積み重ねることを行うが、この場合にも、規制手段３０によって上位のウエイトＷが滑って落下する事態を防止することができ、安定化を図ることができ、安全を確保することができる。
【００４４】
尚、前記実施の形態にあっては、ウエイトＷ（Ａ）（Ｂ）を二種類用意したが、必ずしもこれに限定されるものではなく、三種類以上用意するようにしてよい。また、前記実施の形態にあっては、設置物Ｓの梁部材Ｓａを上から押さえるように使用したが、梁部材Ｓａ以外のものを押えるように使用したり、漬物等の重石として等他の用途に使用しても良いことは勿論である。本考案は、上述した実施の形態に限定されず、当業者は、本考案の新規な教示及び効果から実質的に離れることなく、これら例示である実施の形態に多くの変更を加えることが容易であり、これらの多くの変更は本考案の範囲に含まれる。
【符号の説明】
【００４５】
Ｗ，Ｗ（Ａ），Ｗ（Ｂ）  設置物用ウエイト
Ｓ  設置物
Ｓａ  梁部材
１０  本体
ｅ  収容空間
１１  側壁
１２  山
１３  谷
１４  底面
１５  脚部
１６  凹所
１７  上面
２０  開口
２１  蓋
２２  円筒部
２３  雄ネジ
２４  雌ネジ
２５  蓋凹部
２６  貫通孔
２７  把手
３０  規制手段
３１  上面部
３２  係合凸部
３３  係合凹部
３４  突出部
【手続補正２】
【補正対象書類名】実用新案登録請求の範囲
【補正対象項目名】全文
【補正方法】変更
【補正の内容】
【実用新案登録請求の範囲】
【請求項１】
地面に設置される設置物の梁部材を上から押さえて前記設置物の地面に対する移動を抑止する設置物用ウエイトであって、
中空形成されて内部に水を収容する収容空間を有したブロック状の樹脂製本体を備え、前記本体の下側の左右方向両端側に下方に向けて突出し地面に設置される底面を有する一対の脚部を備えるとともに前記一対の脚部間に前後方向に貫通し前記設置物の梁部材が臨むことができる凹所を形成した設置物用ウエイトにおいて、
前記本体に、別の設置物ウエイトの本体を積み重ねたとき上下に位置する本体同士の前記底面に平行な方向の互いの移動を規制する規制手段を設け、
前記本体の上面の外周縁部を傾斜形成して前記上面を含む上面部を係合凸部として構成し、前記脚部の底面に前記係合凸部が係合しうる形状の係合凹部を形成し、前記規制手段を、前記係合凸部及び係合凹部で構成したことを特徴とする設置物用ウエイト。
【請求項２】
前記凹所の底面からの深さをＤとし、前記脚部間の間隔をＬとしたとき、１５ｍｍ≦Ｄ≦３０ｍｍ、２３０ｍｍ≦Ｌ≦２９０ｍｍに設定したことを特徴とする請求項１記載の設置物用ウエイト。
【請求項３】
前記本体の上面に前記収容空間に水を出し入れするための開口を形成し、前記開口を塞ぐ着脱可能な蓋を備え、
前記脚部の底面に前記蓋のある位置に対応して設けられ前記蓋が臨む大きさの蓋凹部を形成したことを特徴とする請求項１に記載の設置物用ウエイト。
【請求項４】
前記開口を前記上面に突設された円筒部の通孔で構成し、前記円筒部の外周に雄ネジを形成し、前記蓋を前記円筒部の雄ネジに螺合する雌ネジを備えたキャップ状に形成したことを特徴とする請求項３に記載の設置物用ウエイト。
【請求項５】
前記本体にその上面から前記凹所に向けて手を挿入可能な大きさの貫通孔を形成し、前記貫通孔内であって前記貫通孔を形成し互いに対向する内壁面間に把持可能な棒状の把手を架設したことを特徴とする請求項１に記載の設置物用ウエイト。
【請求項６】
前記本体の側壁を、上下方向に延びる山及び谷が交互に連続形成された波形形状に形成したことを特徴とする請求項１に記載の設置物用ウエイト。
【請求項７】
高さを変えることにより前記収容空間の容量を異ならせた本体が複数種あることを特徴とする請求項１に記載の設置物用ウエイト。